(57)【要約】【課題】使用者の意図するタイミングで記録媒体を自在に変更することを可能にし、使用者の意図しないファイル分割を防止する。さらには、撮影の時間順を意識することなく、使用目的に応じて任意の記録媒体に記録を行うことを可能にする。【解決手段】所定容量以下に仮想的に分割した複数個の仮想記録媒体の集合体である記録媒体９と、複数個の仮想記録媒体を表示する表示部８と、映像データを記録する任意の仮想記録媒体を表示部８に表示された複数個の仮想記録媒体の中から選択する操作部１１とを備える。【選択図】図１
2007208611.tif 000002
【特許請求の範囲】
【請求項１】
所定容量以下に仮想的に分割した複数個の仮想記録媒体の集合体である記録媒体と、前記複数個の仮想記録媒体を表示する表示部と、映像データを記録する任意の仮想記録媒体を前記表示部に表示された複数個の仮想記録媒体の中から選択する操作部とを備えた映像信号記録装置。
【請求項２】
前記所定容量は、記録媒体に記録した映像データを保存する外部記録媒体の容量であることを特徴とする請求項１記載の映像信号記録装置。
【請求項３】
前記表示部に、記録対象の仮想記録媒体の記録残時間または記録残容量と、未記録の仮想記録媒体の個数と記録残時間または記録残容量と、記録済みの仮想記録媒体の個数と記録残時間または記録残容量とを表示することを特徴とする請求項１記載の映像信号記録装置。
【請求項４】
前記表示部に、全ての仮想記録媒体ごとの記録残時間または記録残容量を表示することを特徴とする請求項１記載の映像信号記録装置。
【請求項５】
前記表示部に、仮想記録媒体の使用目的と記録残時間または記録残容量を表示することを特徴とする請求項１記載の映像信号記録装置。
【請求項６】
記録媒体を所定容量以下の複数個の仮想記録媒体に分割し、前記複数個の仮想記録媒体を表示部に表示し、映像データを記録する任意の仮想記録媒体を前記表示部に表示された複数個の仮想記録媒体の中から選択することを特徴とする映像信号記録方法。
【発明の詳細な説明】
【技術分野】
【０００１】
本発明は、大容量の記録媒体を仮想的に複数個に分割した仮想記録媒体を備え、各仮想記録媒体の記録残時間に基づいて、使用者が任意の仮想記録媒体を選択し、映像データを記録する映像信号記録装置に関する。
【背景技術】
【０００２】
近年、動画像や静止画像などの映像を記録する機器においては、記録媒体が従来の磁気テープやフィルムから、半導体メモリを使用したメモリカードやＤＶＤなどの光ディスクへと切り替わろうとしている。特に、デジタルスチルカメラ商品は、その低価格もさることながら、上記メディアへの切り替わりによって、通常ならば３６枚程度の撮影枚数の上限を１０００枚近くに引き上げ、パーソナルコンピュータとのデータ連携など、従来の機械式カメラではなしえなかった新たな使い方を利用者に提案し、市場に急速に浸透していったことは記憶に新しい。今日では、さらに半導体メモリ（例えばフラッシュメモリ）の大容量化や低価格化、ハードディスクの小型化や大容量化が進み、機器に内蔵し一時的にデータを記憶する記録媒体としての使用形態も普及している。このような記録媒体（内蔵記録媒体や着脱可能な記録媒体など）を複数個備えた機器において、映像データを機器内の複数個の記録媒体への分割記録する技術などが提案されている。
【特許文献１】特開２００４−３２８０３４号公報
【発明の開示】
【発明が解決しようとする課題】
【０００３】
しかしながら、特許文献１における複数記録媒体への映像データの分割記録技術は、時間的に連続した映像データを複数個の記録媒体に時間順に記録していくものである。
【０００４】
図９は、従来の機器に設けられたディスプレイを用いて表示している記録残時間の表示例である。複数個の記録媒体を用いた従来の機器では、複数個ある記録媒体の全ての記録残時間などは表示せず、選択している記録媒体のみの記録残時間を表示するだけである。
【０００５】
機器の動作としては、記録用に選択された記録媒体の記録残時間が少なくなると、他の記録媒体の記録残時間を確認する。記録可能な他の記録媒体があると、使用している記録媒体と記録可能な記録媒体の間のリンク情報を作成し、次の記録媒体に継続して記録を行う。この一連の動作は機器が自動で行う。
【０００６】
このように従来技術では、使用者の意図しないタイミングで意図しない記録媒体への記録が、時刻順に自動で行われることにより、どの記録媒体にどのような映像データが記録されたのかが、使用者は管理できなくなるという課題がある。
【０００７】
本発明はこのような課題を解決するもので、表示部を用いて記録用に選択された記録媒体および複数ある記録媒体の記録残時間を使用者に通知し、使用者は操作部を介して使用者の意図するタイミングで異なる記録媒体への記録を可能にする。このことにより、使用者の意図するタイミングで記録媒体を自在に変更することが可能になり、使用者の意図しないファイル分割を防止できる。さらに、撮影の時間順を意識することなく、使用目的（例えば「キャンプ」など）に応じて任意の記録媒体に記録を行うことが可能になる。
【課題を解決するための手段】
【０００８】
本発明の映像信号記録装置は、所定容量以下に仮想的に分割した複数個の仮想記録媒体の集合体である記録媒体と、前記複数個の仮想記録媒体を表示する表示部と、映像データを記録する任意の仮想記録媒体を前記表示部に表示された複数個の仮想記録媒体の中から選択する操作部とを備えたものである。
【０００９】
所定容量は、記録媒体に記録した映像データを保存する外部記録媒体の容量である。
【００１０】
表示部に、記録対象の仮想記録媒体の記録残時間または記録残容量と、未記録の仮想記録媒体の個数と記録残時間または記録残容量と、記録済みの仮想記録媒体の個数と記録残時間または記録残容量とを表示する。
【００１１】
また、表示部に、全ての仮想記録媒体ごとの記録残時間または記録残容量を表示する。
【００１２】
さらに、表示部に、仮想記録媒体の使用目的と記録残時間または記録残容量を表示する。
【００１３】
本発明の映像信号記録装置によると、表示部に表示された複数個の仮想記録媒体の中から、映像データを記録する任意の仮想記録媒体を選択することができ、使用者の意図するタイミングで異なる記録媒体への記録が可能となる。
【発明の効果】
【００１４】
本発明によると、使用者の意図するタイミングで記録媒体を自在に変更することが可能になり、使用者の意図しないファイル分割を防止でき、また、撮影の時間順を意識することなく、使用目的に応じて任意の記録媒体に記録を行うことができる。
【発明を実施するための最良の形態】
【００１５】
（実施の形態１）
本発明の実施の形態１の映像信号記録装置を、図１ないし図４に基づいて説明する。
【００１６】
図１は、映像信号記録装置のブロック図を示している。図１において、ＣＣＤ（撮像素子）２は、撮影レンズ１を介して得た撮影情報を光電変換し、ＣＣＤ信号として出力する。デジタル演算処理回路（ＤＳＰ）３は、ＣＣＤ２からの映像信号とマイク４からの音声信号を受ける。ＣＣＤ２から得られたＣＣＤ信号に対してはゲイン調整、ノイズ除去、ガンマ補正、アパーチャ処理、ニー処理等の周知のカメラ信号処理が施され、マイク４から得た音声信号に対しては、不要なノイズや風切り音の除去等の周知の音声信号処理が施される。ＤＳＰ３で処理された信号は、システムバス５を経由してシステムの作業領域として利用されるＲＡＭ６に格納される。ＲＡＭ６に格納されたデジタル信号は、圧縮伸張処理回路（ＣＯＤＥＣ）７によって画像圧縮および音声圧縮処理されブロックデータに変換される。表示部であるディスプレイ８は、記録画像などを出力する。なお、このときの圧縮方式については特に限定されるものではないが、動画像に対しては例えばＭＰＥＧ（Motion Picture Experts Group）２方式、静止画像に対しては例えばＪＰＥＧ（Joint Photographic Coding Experts Group）方式が挙げられる。次に、圧縮処理後の映像信号および音声信号は時間的同期をとって多重化され、ひとつのまとまったブロックデータに変換される。圧縮処理されたブロックデータは、ＣＯＤＥＣ７から記録媒体９に記録される。ＣＰＵ１０は、これら一連の記録シーケンスを制御する。操作部であるＫＥＹ１１は、例えばボタンなどであり、使用者からの入力を受付け、押されている／押されていないなどのＫＥＹ状態をＣＰＵ１０に伝える。このようにして、映像信号記録装置１００を構成する。
【００１７】
ここで、映像信号記録装置１００は、例えば、大容量の記録媒体９を備えたデジタルビテオカメラであって、記録媒体９としては、例えば、フラッシュメモリやハードディスクが挙げられ、それらは映像信号記録装置１００内に固定されていたり、着脱可能なものであってもよい。
【００１８】
図２は、ＫＥＹ１１の構成を示している。２１は各種設定を決定させる決定ボタンであり、２２〜２４は上下左右方向に選択枠などを移動させる移動ボタンである。
【００１９】
以上のように構成された映像信号記録装置１００について、以下その動作を詳細に説明する。一時記録媒体である機器に内蔵された記録媒体９は、一般的に大容量の記録媒体が使用される。大容量の記録媒体にそのまま映像データや音声データ（以下、映像音声データと称する）を記録すると、映像音声データを最終保存しようとする外部記録媒体（例えば、ＤＶＤレコーダ等におけるＤＶＤ−ＲなどのＤＶＤメディア）の容量を超える。このような場合には、事前に、機器に内蔵された記録媒体９をＤＶＤメディアの容量以下に仮想的に分割して、ＤＶＤメディアの容量以下の容量を有した複数個の仮想記録媒体の集合体としてＣＰＵ１０にて管理される。
【００２０】
図３，４は、映像信号記録装置１００におけるディスプレイ８の表示の一例を示している。８０分記録できる記録媒体９を仮想的に４個の記録媒体に分割し、各々の記録媒体は２０分の記録可能として使用している例である。仮想的に分割した４つの記録媒体は、ＣＰＵ１０では「記録媒体１」、「記録媒体２」、「記録媒体３」、「記録媒体４」と管理し、「記録媒体１」から順番に使用するようになっている。ディスプレイ８には、「記録済み記録媒体」が１個（記録媒体１）、「未記録記録媒体」が２個（４０分の記録残時間＝２０分が２個（記録媒体３と記録媒体４））、「現在使用中の記録媒体」は、「記録媒体２」という名の記録媒体を使用して、記録残時間が３分である、と表示している。このように、ディスプレイ８を用いて使用者に記録残時間を通知することで、使用者は現在使用している記録媒体の記録残時間を確認し、記録残時間が少ないと感じた場合は、ＫＥＹ１１を介してＣＰＵ１０に記録媒体を他の記録媒体に変更したい旨を伝える。例えば、ディスプレイ８に設定モードを表示させ、その中から記録媒体変更項目を選択し、記録媒体を変更する旨の選択を行う。ＣＵＰ１０は、使用者の記録媒体を変更したい旨を検出した場合は、記録対象の記録媒体を「記録媒体３」に対応する記録媒体に変更し、図４に示すように、「記録済み記録媒体」が２個（記録媒体１と記録媒体２）、「未記録記録媒体」が１個（２０分の記録残時間＝２０分が１個（記録媒体４））、「現在使用中の記録媒体」は、「記録媒体３」という名の記録媒体を使用して、「記録媒体３」の記録残時間が２０分である、と表示する。
【００２１】
本実施の形態１の映像信号記録装置１００によると、記録残時間を見ながら使用者の意図するタイミングで仮想的に分割された記録媒体を自在に変更することが可能になり、使用者の意図しない映像音声データのファイル分割を防止できる。
（実施の形態２）
本発明の実施の形態２の映像信号記録装置を、図５および図６に基づいて説明する。
【００２２】
なお、映像信号記録装置のブロック図ならびにＫＥＹの構成は、図１，２に示した例と同様である。
【００２３】
図５は、映像信号記録装置１００におけるディスプレイ８の表示の一例を示している。８０分記録できる記録媒体９を仮想的に４個の記録媒体に分割し、各々の記録媒体は２０分の記録可能として使用している例である。仮想的に分割した４つの記録媒体は、ＣＰＵ１０では「記録媒体１」、「記録媒体２」、「記録媒体３」、「記録媒体４」と管理する。ディスプレイ８には、仮想的に分割された個々の記録媒体の記録残時間ならびに各記録媒体のトータルの記録残時間を示している。このように、ディスプレイ８を用いて使用者に各記録媒体の記録残時間を通知することで、使用者は現在使用している記録媒体（本例では「記録媒体２」に対応する記録媒体）の記録残時間（本例では、残３分）を確認し、記録残時間が少ないと感じた場合、使用者はＫＥＹ１１を複数回押して記録したい任意の記録媒体を選択することで、ＣＰＵ１０に他の記録媒体に変更したい旨を伝える。
【００２４】
図６を用いて、ソフトウェア処理により記録対象の記録媒体を変更する手順について説明する。まず、記録対象の記録媒体を示すため、対象記録媒体の表示の周囲に選択枠を点灯させる（ステップＳ６１）。記録媒体を変更する前においては、現在選択中の記録媒体（図５の例では「記録媒体２」）に選択枠が点灯される。次に、ＫＥＹ１１の決定ボタン２１が押されたか否かを判断する（ステップＳ６２）。ステップＳ６２にて決定ボタン２１が押されていない場合、ステップＳ６３に進み、移動ボタン２２〜２５が押されたか否かを判断する。ステップＳ６３にて移動ボタン２２〜２５が押された場合、ステップＳ６４に進み、押された移動ボタン２２〜２５の対応する方向（移動ボタン２２の場合は上、移動ボタン２３の場合は下、移動ボタン２４の場合は左、移動ボタン２５の場合は右）に選択枠を移動させ、ステップＳ６１に戻って移動後の選択枠を点灯させる。例えば、図５の例では、移動ボタン２５が押されると、選択枠は「記録媒体２」から「記録媒体３」に移動する。なお、移動後に選択されている記録媒体について、ＣＰＵ１０が当該記録媒体を特定できるようにメモリに逐一更新記録される。使用者は目的の記録媒体が選択されるまで移動ボタン２２〜２５を繰り返し押すことになり、目的の記録媒体が選択されるまで、ステップＳ６１〜６４が繰り返される。なお、ステップＳ６３にて移動ボタン２２〜２５が押されなかったと判断した場合はステップＳ６１に戻ることとなる。目的の記録媒体が選択されると使用者は決定ボタン２１を押すため、ステップＳ６２にて決定ボタン２１が押されたと判断し、ステップＳ６５に進む。ステップＳ６５では、選択枠のついた記録媒体を記録対象の記録媒体に変更する。記録媒体の変更が終わると選択枠を消灯する（ステップＳ６６）。
【００２５】
本実施の形態２の映像信号記録装置によると、実施の形態１の効果に加え、使用者は各分割された記録媒体の記録残時間を見ながら、任意の記録媒体を記録対象を変更することが可能になり、使用者は現在撮影している内容から判断して、必要最小限の記録残時間を有した記録媒体を選択でき、使用者の意図しない映像音声データのファイル分割を防止しながら、記録媒体９の有効利用が図れる。
【００２６】
なお、図７に示すように、ハードウェア処理により記録対象の記録媒体を変更してもよい。すなわち、図６に示すソフトウェア処理に代えてハードウェア処理により記録媒体を変更してもよい。記録対象記録媒体選択部７１は、ＫＥＹ操作検出部７２と選択枠など重畳部７３とから構成される。ＫＥＹ操作検出部７２は、ＫＥＹ１１の押されたボタン２１〜２５を検出する。重畳部７３は、押されたボタン２１〜２５に応じて、選択の枠移動や点灯・消灯を行う。なお、移動ボタン２２〜２５で記録媒体を選択し、決定ボタン２１で決定することで、記録媒体を変更する手順はソフトウェア処理と同様である。
（実施の形態３）
本発明の実施の形態３の映像信号記録装置を、図８に基づいて説明する。
【００２７】
なお、映像信号記録装置のブロック図ならびにＫＥＹの構成は、図１，２に示した例と同様である。
【００２８】
図８は、映像信号記録装置１００におけるディスプレイ８の表示の一例を示している。８０分記録できる記録媒体９を仮想的に４個の記録媒体に分割し、各々の記録媒体は２０分の記録可能として使用している例である。仮想的に分割した４つの記録媒体は、使用者が設定モードにて各仮想記録媒体に固有の使用目的名を付け、ＣＰＵ１０が管理する。本実施の形態３では「キャンプ１日目」、「キャンプ２日目」、「旅行」、「海水浴」と命名して管理されている。ディスプレイ８には、仮想的に分割された個々の記録媒体の使用目的、記録残時間ならびに各記録媒体のトータルの記録残時間を示している。このように、各記録媒体に固有の名前を設定し、ディスプレイ８にて表示することで、使用者は撮影対象に応じてＫＥＹ１１を操作して記録媒体を切り替えて使用することができる（本例では「旅行」を選択している）。また、ディスプレイ８を用いて使用者に各記録媒体の記録残時間を通知することで、使用者は現在使用している記録媒体（本例では「旅行」に対応する記録媒体）の記録残時間（本例では、残２０分）を確認することができる。記録残時間が少ないと感じた場合は、ＫＥＹ１１を操作してＣＰＵ１０に記録媒体を他の記録媒体に変更したい旨を伝えたり、あるいは一旦撮影を終了し、記録媒体の映像音声データを外部記録媒体に保存した上で記録対象の記録媒体の映像音声データを消去し、記録媒体の始めから記録を再開したり、あるいは着脱式の記録媒体の場合には別の記録媒体と交換して記録を再開するなどして対処することができる。
【００２９】
本実施の形態３の映像信号記録装置によると、実施の形態１，２の効果に加え、撮影の時間順を意識することなく、使用目的（例えば「キャンプ」など）に応じて任意の記録媒体に記録を行うことが可能になる。
【００３０】
なお、前記各実施の形態において、記録媒体は、機器に内蔵した記録媒体を分割した記録媒体として説明したが、着脱可能な記録媒体を分割したものであっても、また、それらの組み合わせであってもかまわない。
【００３１】
また、仮想記録媒体に分割するための所定の記録容量をＤＶＤ−ＲなどのＤＶＤメディアとして説明したがこの限りではなく、最終保存形態となりうる容量で、使用者が設定する容量であればいくらでもかまわない。
【００３２】
また、記録媒体に記録可能な情報として、記録残時間の情報を表示する説明を行ったが記録媒体の記録残容量でもよい。また、残時間に代えて使用済みの記録時間や容量でもよい。
【００３３】
さらに、実施の形態３に示した使用目的（例えば「キャンプ」など）に代えて、分割した各記録媒体に個別の使用者（例えば「父」「母」「兄」等）の名前を付けて管理することで、映像信号記録装置を複数の使用者で使い分けて使用することもできる。
【産業上の利用可能性】
【００３４】
本発明の映像信号記録装置は、音声映像データを記憶する大容量の記録媒体を備え、当該記録媒体を分割管理する機能を備えたデジタルスチルカメラ、デジタルビデオカメラその他の電子機器に有用である。
【図面の簡単な説明】
【００３５】
【図１】本発明の実施の形態１の映像信号記録装置のブロック図
【図２】本発明の実施の形態１の映像信号記録装置のＫＥＹの構成図
【図３】本発明の実施の形態１の映像信号記録装置の表示例を示す図
【図４】本発明の実施の形態１の映像信号記録装置の表示例を示す図
【図５】本発明の実施の形態２の映像信号記録装置の表示例を示す図
【図６】本発明の実施の形態２のソフトウェア処理により記録対象の記録媒体を変更する手順のフローチャート
【図７】本発明の実施の形態２のハードウェア処理により記録対象の記録媒体を変更する手順の説明図
【図８】本発明の実施の形態３の映像信号記録装置の表示例を示す図
【図９】従来例の映像信号記録装置の表示例を示す図
【符号の説明】
【００３６】
１  レンズ
２  ＣＣＤ
３  ＤＳＰ
４  マイク
５  システムバス
６  ＲＡＭ
７  ＣＯＤＥＣ
８  ディスプレイ（表示部）
９  記録媒体
１０  ＣＰＵ
１１  ＫＥＹ（操作部）
１００  映像信号記録装置
【図１】
2007208611.tif 000003
【図２】
2007208611.tif 000004
【図３】
2007208611.tif 000005
【図４】
2007208611.tif 000006
【図５】
2007208611.tif 000007
【図６】
2007208611.tif 000008
【図７】
2007208611.tif 000009
【図８】
2007208611.tif 000010
【図９】
2007208611.tif 000011